(57)【要約】【課題】１パス両面読みの原稿裏面読取部における黒スジ／白スジの発生を抑制することができる画像読取装置を提供する。【解決手段】画像読取装置は、第２の読取手段（原稿裏面読取部）と搬送原稿の間を仕切る原稿搬送方向に沿って移動可能な仕切り部材（移動ガラス）と、仕切り部材の第２の画像読取手段に対向した面上に設けた、仕切り部材の基準位置を決めるための黒ベタ部材６０３とを備える。また、第２の画像読取手段による黒ベタ部材６０３の検出位置に基づいて仕切り部材の基準位置を定める制御手段（ＣＰＵ３００、３２１）を備える。【選択図】図６
2008072356.tif 000002
【特許請求の範囲】
【請求項１】
第１の原稿面を読み取る移動可能な第１の画像読取手段と、
前記第１の原稿面の裏面である第２の原稿面を読み取る位置固定の第２の画像読取手段と、
前記第２の読取手段と搬送原稿の間を仕切る移動可能な仕切り部材と、
前記仕切り部材に設けられ、前記仕切り部材の基準位置を決めるための基準部材と、
前記第２の画像読取手段による前記基準部材の検出位置に基づいて前記仕切り部材の基準位置を定める制御手段と、
を備えることを特徴とする画像読取装置。
【請求項２】
前記仕切り部材は、透明なガラス部材からなり、その端部に白板を搭載することを特徴とする請求項１記載の画像読取装置。
【請求項３】
前記基準部材は、前記仕切り部材の移動方向と垂直に交わる方向に引かれた帯状黒ベタ部材であることを特徴とする請求項１または請求項２記載の画像読取装置。
【請求項４】
前記帯状黒ベタ部材は、前記白板の外側端部に設けられることを特徴とする請求項３記載の画像読取装置。
【請求項５】
前記帯状黒ベタ部材は、前記白板の内側端部に設けられることを特徴とする請求項３記載の画像読取装置。
【請求項６】
前記基準部材は、前記白板の一部に設けられることを特徴とする請求項２記載の画像読取装置。
【請求項７】
前記基準部材は、前記白板上の前記第２の画像読取手段における原稿領域外に設けられることを特徴とする請求項６記載の画像読取装置。
【請求項８】
前記基準部材は、前記仕切り部材の前記第２の画像読取手段における原稿領域外に設けられることを特徴とする請求項２記載の画像読取装置。
【発明の詳細な説明】
【技術分野】
【０００１】
本発明は、画像読取装置、特に装置内に複数の画像読取手段を設けることにより、給紙から排紙までの間で原稿をスイッチバックさせることなしに表裏双方の原稿面を読み取ることが可能な１パス両面読みの画像読取装置に関する。
【背景技術】
【０００２】
従来、画像読取装置の画像読取部においては、通常、画像読取手段。原稿照明手段、透明なガラス部材、及び白板を有して構成される。
【０００３】
原稿画像は、原稿照明手段によって照らされ、その反射光が画像読取手段によって読み取られる。その際に、画像読取手段と原稿との間に一定の距離を取ることで安定して原稿画像を読み取ることができるように、画像読取手段と原稿の搬送経路の間にガラス部材を配置し、画像読取手段は透明なガラス部材越しに原稿画像を読み取る。
【０００４】
画像読取手段としては、複数のＣＣＤと呼ばれる画像読取素子をライン状に構成したラインセンサを用いることが多い。このように複数の素子を用いて１つの機能を実現させる際には、素子ごとのばらつきを補正することが重要であり、画像読取手段においては、１ライン上の同じ画像（色）を読んだときに同じ出力値が得られるようにする必要がある。
【０００５】
白板はその補正値（シェーディング係数と呼ばれる）を求めるために用いられ、原稿照明手段によって照らされた白板の反射光を画像読取手段により読み取った白板画像データに基づいて素子ごとのばらつきを補正するシェーディング補正が行われる。実際には白板はガラス部材と隣接した場所に配置される、あるいはガラス部材上に貼り付けられる形で実装される場合が多い。
【０００６】
画像読取手段は、前述のようにラインセンサで構成される場合が多いため、原稿画像全面を読み取るためには、画像読取手段と原稿を相対的に動かす必要がある。ここで、原稿を固定して画像読取手段を動かして原稿画像を読み取る系を原稿固定読み、画像読取手段を固定して原稿を動かすことで原稿画像を読み取る系を原稿流し読みと呼称する。
【０００７】
これらの画像読み取り制御の際に問題となるのがゴミである。ここでのゴミは空気中の埃や紙紛、原稿上で乾ききっていなかったボールペン等のインクや修正液であり、これらがガラス部材や白板に付着した場合に問題が発生する。
【０００８】
例えば、画像読取手段が原稿画像を読み取る画像読み取り位置のガラス面上にゴミがあった場合には読み取った画像にも当然ゴミが出る。原稿固定読みの場合であれば、読み取った画像でもガラス面上にゴミのあった位置にだけゴミが出るだけで済むため、ゴミが大きくなければ実使用上問題とならないかもしれない。
【０００９】
しかし原稿流し読みの場合には、ガラス面上のゴミは読み取った画像の中で一繋がりの線（黒スジと称する）となって現れるため、仮にゴミが小さかったとしてもゴミスジは非常に目立ち、実使用上の問題となる。
【００１０】
あるいは画像読取手段が白板を読み取る白板読み取り位置にゴミがあった場合には、いわゆる白スジが発生し、シェーディング係数が正しい値とならないため、読み込んだ原稿画像に対して正しい出力が得られなくなる。
【００１１】
このような黒スジ／白スジ問題を回避するために、例えば、特許文献１に示すように、原稿読み位置／白板読み位置を一箇所に固定しないで、ゴミの少ない位置で原稿／白板を読むような構成が提案されている。
【００１２】
画像読取手段の位置決めに関しては、予め基準となる位置（ホームポジション＝ＨＰ）を求めておき、そこを起点にどれだけ画像読取手段を移動させたかを記録することにより制御されていることが多い。ＨＰの検出方法としては、フラグとセンサを用いる方法や、特許文献２に示すように、画像読取手段にマークを読み取らせる方法がある。
【００１３】
前述のように、画像読取手段の位置制御はＨＰの位置に基づいて行われており、一方で、原稿の搬送制御は原稿の基準位置に基づいて行われている。従って、ＨＰの位置出しにバラツキが大きいと、仮に原稿の位置制御が一定であったとしても、読み取られた画像データ内での原稿画像領域に関して原稿ごとのバラツキが大きいといった問題を起こすことから、ＨＰ出しは高精度で行うことが重要である。
【００１４】
また、最近では、特許文献３に示すように、画像読取装置内に複数の画像読取手段を設けることにより、給紙から排紙までの間で原稿をスイッチバックさせることなしに表裏双方の原稿面を読み取ることが可能な１パス両面読みの画像読取装置が実施されている。
【特許文献１】特開２００２−１８５７２５号公報
【特許文献２】特開２００４−１９４１４２号公報
【特許文献３】特開２０００−３５６８６７号公報
【発明の開示】
【発明が解決しようとする課題】
【００１５】
前述の１パス両面読みの画像読取装置において、原稿台上に置かれた原稿の上側の原稿面を読み取る画像読取部を表面読取部、前記原稿の原稿台上での下側面を読み取る画像読取部を原稿裏面読取部とする。黒スジ／白スジの問題に関しては１パス両面読みの原稿裏面読取部に関しても同様である。
【００１６】
ただし、原稿裏面読取部の画像読取手段はスペースの関係上、装置構成上の取り付け位置に固定されていることが多い点で、表面読取部の画像読取手段と異なっている。原稿裏面読取部の取り付け位置が固定であると言うことは、原稿基準位置と裏面読み取り位置との間の距離は変わらないと言うことになる。
【００１７】
本発明の目的は、１パス両面読みの原稿裏面読取部における黒スジ／白スジの発生を抑制することができる画像読取装置を提供することにある。
【課題を解決するための手段】
【００１８】
上記目的を達成するために、請求項１記載の画像読取装置は、第１の原稿面を読み取る移動可能な第１の画像読取手段と、前記第１の原稿面の裏面である第２の原稿面を読み取る位置固定な第２の画像読取手段と、前記第２の読取手段と搬送原稿の間を仕切る移動可能な仕切り部材と、前記仕切り部材に設けられ、前記仕切り部材の基準位置を決めるための基準部材と、前記第２の画像読取手段による前記基準部材の検出位置に基づいて前記仕切り部材の基準位置を定める制御手段とを備えることを特徴とする。
【発明の効果】
【００１９】
本発明の画像読取装置は、第２の読取手段と搬送原稿の間を仕切る原稿搬送方向に沿って移動可能な仕切り部材と、仕切り部材の第２の画像読取手段に対向した面上に設けた、仕切り部材の基準位置を決めるための基準部材とを備える。また、第２の画像読取手段による基準部材の検出位置に基づいて仕切り部材の基準位置を定める制御手段を備える。
【００２０】
このように、第２の画像読取手段による基準部材の検出位置に基づいて仕切り部材の基準位置を定めるようにすることで、１パス両面読みの原稿裏面読取部における黒スジ／白スジの発生を抑制することができる。
【発明を実施するための最良の形態】
【００２１】
以下、本発明の実施の形態を図面を参照しながら詳細に説明する。
【００２２】
図１は、本発明の実施の形態に係る画像読取装置の構成を概略的に示す図である。
【００２３】
図１において、画像読取装置は、自動原稿送り装置１００と画像読取装置本体２００とから構成される。以下、その構成を動作と併せて説明する。
【００２４】
自動原稿送り装置１００は、図１に示すように、少なくとも１枚以上のシートで構成される原稿束Ｓを載置する原稿トレイ３０と、原稿の搬送開始前に、原稿トレイ３０より突出し、原稿束Ｓの下流への進出を規制する分離パッド２１と、給紙ローラ１とを有する。給紙ローラ１は、原稿トレイ３０に載置された原稿束Ｓの原稿面に落下し、回転する。
【００２５】
これにより、原稿束Ｓの最上面の原稿が給紙される。給紙ローラ１によって給送された原稿は分離ローラ２と分離パッド２１の作用によって１枚に分離される。この分離は周知のリタード分離技術によって実現されている。
【００２６】
分離ローラ２と分離パッド２１によって分離された原稿は、搬送ローラ対３により、レジストローラ４へ搬送され、レジストローラ４に突き当てられる。これにより、原稿はループ状に形成され、原稿の搬送における斜行が解消される。
【００２７】
レジストローラ４の下流側には、レジストローラ４を通過した原稿を流し読みガラス２０１方向へ搬送する給紙パスが配置されている。
【００２８】
給紙パスに送られた原稿は、大ローラ７及び給送ローラ５により流し読みガラス２０１上に送られる。ここで、大ローラ７は、原稿がなかった場合には流し読みガラス２０１に接触する。大ローラ７により給送された原稿は、搬送ローラ６を通過し、ローラ１６と移動ガラス１８の間を移動して、排紙フラッパ２０及び排紙ローラ８を介して原稿排紙トレイ３１へ排出される。このとき、原稿裏面読取部１７にて原稿の裏面画像を読み取ることが可能である。排紙ローラ８の手前に排紙センサ１３がある。
【００２９】
一方で、排紙ローラ８に原稿を噛ませた状態で、排紙ローラ８を逆転させて排紙フラッパ２０を切り替えることにより、反転パス１９へ原稿を移動させる。移動した原稿を反転パス１９からレジストローラ４へ突き当て、再度原稿がループ状に形成されることによって、原稿の搬送における斜行を解消する。その後、給送ローラ５及び大ローラ７により再び原稿を流し読みガラス２０１へ移動させることで、原稿の裏面を流し読みガラス２０１で読み取ることが可能である。
【００３０】
また、原稿トレイ３０には、それに載置された原稿束の副走査方向にスライド可能なガイド規制板（図示せず）が設けられているとともに、このガイド規制板に連動して原稿幅を検出する原稿幅検知センサ（図示せず）が設けられている。
【００３１】
上記原稿幅検知センサとレジ前センサ１１との組み合わせにより、原稿トレイ３０上に載置された原稿束の原稿サイズが判別可能となる。また、搬送パス内に設けられた原稿長検知センサ（図示せず）により、搬送中の原稿の先端検知から後端検知までの搬送距離から原稿長を検出することも可能であり、検知した原稿長と上記原稿幅検知センサとの組み合わせからも、原稿サイズが判別可能である。
【００３２】
画像読取装置本体２００は、原稿に記録された画像情報を光学的に読み取り、光電変換して画像データとして入力するものである。画像読取装置本体２００は、流し読みガラス２０１、プラテンガラス２０２、ランプ２０３とミラー２０４を有するスキャナユニット２０９、ミラー２０５、２０６、レンズ２０７、ＣＣＤ２０８等を有している。また、白板２１０は、シェーディングによる白レベルの基準データを作成するためのものである。
【００３３】
図２は、図１の画像読取装置の機能ブロックを概略的に示す図である。
【００３４】
自動原稿送り装置１００は、ＣＰＵ３００、ＲＯＭ３０１、ＲＡＭ３０２その他を備えている。ＲＯＭ３０１には、制御用プログラムが格納されており、ＲＡＭ３０２には、入力データや作業用データが格納されている。また、出力ポートには、各種搬送用のローラを駆動するモータ３０３、ソレノイド３０６、クラッチ３０７が接続されており、入力ポートには、図示しない各種センサ３０４がそれぞれ接続されている。
【００３５】
ＣＰＵ３００は、これにバスを介して接続されたＲＯＭ３０１に格納された制御プログラムに従って紙搬送を制御する。ＣＰＵ３００は、画像読取装置本体２００のＣＰＵ３２１とライン３５１を介してシリアル通信を行い、画像読取装置本体２００との間で制御データの授受を行うようになっている。また、原稿画像データの先端の基準となる画先信号も通信ラインを通して画像読取装置本体２００に通知される。
【００３６】
また、図１の原稿裏面読取部１７には、ランプ３０５及び近接型の受光センサ（ＣＩＳ）３０８が接続されており、読み取った画像が画像処理部３０９へ転送される。
【００３７】
画像読取装置本体２００は、ＣＰＵ３２１、ＲＯＭ３２２、ＲＡＭ３２３、紙間補正を行う紙間補正部３２４、画像処理部３２５その他を備える。モータドライブ部３２６は、光学系駆動モータを駆動させるためのドライバ回路である。また、ランプ２０３、表面画像読取部（ＣＣＤ）３２８が接続されている。
【００３８】
ＣＰＵ３２１は、モータドライブ部３２６及び表面画像読取部３２８などを用いて、画像読取装置本体２００の制御を行う。レンズ２０７でＣＣＤ２０８上に結像された画像信号はデジタル画像データに変換され、画像処理部３２５で各種の画像処理を行い、画像メモリ３２９に書き込まれる。
【００３９】
また、自動原稿送り装置１００内の画像処理部３０９で処理した画像も、画像通信ライン３５４を通して、画像メモリ３２９に保持される。画像メモリ３２９に書き込まれたデータは順次コントローラＩＦ部３５３を通してコントローラ部４００へ送信される。
【００４０】
更に、原稿画像データの先端の基準となる画先信号については、ＣＰＵ３２１でタイミングを取って、コントローラＩＦ部３５２を通してコントローラ部４００へ通知される。自動原稿送り装置１００からの通信ラインで通知される画先信号についても同様に、画像読取装置本体２００のＣＰＵ３２１でタイミングを取って、コントローラＩＦ部３５２を通してコントローラ部４００へ通知される。
【００４１】
コントローラ部４００は、制御回路４０１、増幅回路４０２、Ａ／Ｄ変換器４０３、補正回路４０４、画像メモリ４０５を有している。
【００４２】
ＣＣＤ２０８からは、原稿画像を走査する過程で、読み取りの１ラインごとにアナログの画像信号が出力され、それらは増幅回路４０２により増幅された後、Ａ／Ｄ変換器４０３により８ビットのデジタル信号に変換される。
【００４３】
そして、補正回路４０４は、画像信号に対して、紙間補正部３２４で作成された紙間補正データに基づいた補正処理を行う。その後、画像メモリ４０５に書き込まれていくことになる。以上の処理を原稿画像領域分行い、原稿の読み取り画像を形成する。
【００４４】
尚、本実施の形態では、自動原稿送り装置１００の原稿裏面読取部１７にＣＩＳ、画像読取装置本体２００の表面画像読取部にＣＣＤを使用しているが、画像読み取りのセンサであれば何を使ってもよい。
【００４５】
次に、片面に印刷がなされた原稿（片面原稿）を読み取る際、スキャナユニット２０９を副走査方向に移動させて画像を読み取る原稿読取モード（原稿固定読みモード）の動作について説明する。
【００４６】
図３（ａ）乃至（ｄ）は、図１の画像読取装置による原稿固定読み時におけるスキャナユニットの状態を模式的に示す図である。
【００４７】
画像読取装置本体２００に画像読取開始の指示がされると、スキャナユニット２０９は、白板２１０の直下に移動し、主走査方向の白レベル基準及び、主走査方向の配光補正を行う（ａ）。スキャナユニット２０９は、自身を加速させるのに十分な距離が保持された（ｂ）の位置へ移動する。
【００４８】
その後、スキャナユニット２０９は、図の矢印Ａの方向（副走査方向）に移動し、原稿をランプ２０３にて照射しながら、反射光をＣＣＤ２０８にて読み取る（ｃ）。原稿の右端部まで読み取りが終了した後、ランプ２０３を消灯し、図の矢印Ｂの方向へスキャナユニット２０９を移動し（ｄ）、（ａ）の状態に戻る。
【００４９】
次に、原稿（片面及び両面原稿の表面）を読み取る際、スキャナユニット２０９を固定させて原稿を移動させることにより画像を読み取る原稿読取モード（原稿流し読みモード）の動作について説明する。
【００５０】
図４（ａ）乃至（ｇ）は、図１の画像読取装置による原稿流し読み時におけるスキャナユニットの状態を模式的に示す図である。
【００５１】
自動原稿送り装置１００に原稿の給送開始が指示されると、スキャナユニット２０９は白板２１０の直下に移動し、シェーディングを行う。ここで、原稿裏面読取部１７の図示しない移動ガラス上の白基準板を用いて、同時にシェーディングを行う（ａ）。
【００５２】
更に、給紙ローラ１が原稿上面に落下し、分離ローラ２、搬送ローラ対３の作用により、原稿束Ｓからその最上面にある１枚の原稿だけが分離され、レジストローラ４まで給送される。このときスキャナユニット２０９は、Ｒ点の直下へ移動する（ｂ）。
【００５３】
レジストローラ４が回転すると、原稿は給紙パスを経由して流し読みガラス２０１上へと導かれる（ｃ）。原稿は、図中のＲ上を所定の速度で搬送され、原稿の画像はＲ点の下部に待機しているスキャナユニット２０９によって読み取られる。この際、原稿の先端がＲ点を通過するタイミングで、読み取り開始の信号を画像読取装置本体２００に通知する。
【００５４】
両面同時読みモードの場合、スキャナユニット２０９による原稿表面の読み取りと並行して、原稿裏面読取部１７にて原稿の裏面画像の読み取りを行う（ｄ）、（ｅ）。
【００５５】
原稿裏面読取部１７が裏面の画像後端まで読み終わると（ｆ）、読み取られた原稿はそのまま図の右方向へ搬送され、排紙ローラ８から自動原稿送り装置１００の機外へ排出される。
【００５６】
また、Ｒ点上をＮ枚目の原稿が読み取られている間に、原稿後端が搬送ローラ対３を通過すると、原稿トレイ３０上に載置されている原稿束Ｓから（Ｎ＋１）枚目の原稿の給送が開始される。この原稿は、同様に、流し読みガラス２０１へ搬送され、この原稿上の画像の読取動作が行われる。
【００５７】
このとき、原稿がレジストローラ４に突き当てられた状態で、レジストローラ４の起動タイミングを操作することにより、Ｒ点上で読み取り中の前原稿との間隔が適時調整され、流し読みガラス２０１上では、所定の間隔で原稿が搬送される。
【００５８】
原稿の読み込み及び排紙が全て完了すると、図４（ｇ）に示すように、スキャナユニット２０９を矢印の方向に移動させる。
【００５９】
次に、原稿反転流し読みモードにおいて、原稿の表裏を反転させる動作について説明する。
【００６０】
図５（ａ）乃至（ｆ）は、図１の画像読取装置による原稿反転時におけるスキャナユニットの状態を模式的に示す図である。
【００６１】
図４の（ａ）乃至（ｇ）の一連の動作により（ただし、Ｎ枚目の原稿を読んでいる最中には、（Ｎ＋１）枚目の原稿の給送を行わず、かつ、原稿裏面読取部１７を使用しないものとする）、原稿を排紙部に噛ませた状態で停止させる。（ａ）。
【００６２】
排紙ローラ８を排紙と逆の方向に回転させることにより、（ｂ）の矢印の方向へ原稿を移動させる。このとき、原稿後端が排紙センサ１３で検知されたら、排紙ローラ８を停止させる。
【００６３】
原稿裏面をＲ点上にて読み取りながら搬送し（ｃ）、その後、排紙ローラ８に再度原稿を噛ませた状態で停止させる（ｄ）。更に、排紙ローラ８を逆転させて（ｅ）の矢印の方向に原稿を移動させ、原稿の表裏を反転させる。原稿反転後、原稿トレイ３０上の次の原稿の分離を開始する（ｆ）。
【００６４】
図６は、図１における原稿裏面読取部近傍の拡大図である。
【００６５】
図６において、原稿裏面読取部１７を含めた周辺の構成は、大きく、原稿裏面読取部１７、ローラ１６、移動ガラス１８からなる。原稿裏面読取部１７はさらに、通過する原稿面を照らすためのランプ３０５と受光センサ（ＣＩＳ）３０８とから構成される。
【００６６】
移動ガラス１８の周辺には、移動ガラス１８を移動させるためのガラス駆動部６０２と、前述したように原稿裏面読取部１７においてもシェーディングを行うための白板６０１と、移動ガラス１８の基準位置出しのための黒ベタ部材６０３が設けられている。
【００６７】
ここで、ローラ１６の表面は白色である。これはローラ表面を読み取ることにより、ランプ３０５とＣＩＳ３０８との間の配光特性を補正するためである。シェーディング調整時には配光補正を、白板６０１を用いても行うが、原稿が連続して搬送されている状態ではその都度白板６０１を画像読み位置に移動させて配光補正を行うだけの時間がない。そのため、紙間を利用してローラ１６の表面を読んで配光補正を行う。
【００６８】
従って、ＣＩＳ３０８で読み取った画像データは、ローラ１６表面であっても白板６０１であっても同じ白データとなり区別がつかなくなることから、黒ベタ部材６０３を設けて位置出しの基準とする。
【００６９】
図６（ａ）は、図上の下方向から原稿が搬送されてきて、これから原稿裏面読取部１７において原稿の裏面画像が読み取られる状態を示している。
【００７０】
図６（ｂ）は、原稿裏面読取部１７におけるシェーディング調整の状態を示している。ガラス駆動部６０２によって白板６０１が画像読み取り位置に移動され、原稿裏面読取部１７によって基準となる白色の読み取りがなされている。
【００７１】
図７は、図６における原稿裏面読取部の初期化処理の手順を示すフローチャートである。
【００７２】
図７において、まず、ステップＳ７０１で初期化処理の開始を待つ。初期化処理の開始を受けたらランプ３０５を消灯する（ステップＳ７０２）。そしてランプ３０５を消灯した状態で黒レベル調整を行う（ステップＳ７０３）。
【００７３】
黒レベル調整では、ＣＩＳ３０８が黒色を読み取った時の黒データ出力を調整する。黒レベル調整の終了を受けてランプ３０５を点灯する（ステップＳ７０４）。ランプ３０５が点灯したら、一度ＣＩＳ３０８で画像読み取りを行い（ステップＳ７０５）、黒ベタ部材６０３が検知できるか否かを判定する（ステップＳ７０６）。
【００７４】
黒ベタ部材６０３が検出できていた場合には、移動ガラス１８を一旦逆方向に（後述する図８で示す方向Ｂ）に所定距離だけ移動させる（ステップＳ７０７）。この所定距離とは、初期状態において読み取り位置が黒ベタ部材６０３内のどの位置にあっても確実に黒帯領域を抜けるだけの移動量である。
【００７５】
ステップＳ７０６において黒帯検知できなかった場合、あるいはステップＳ７０７においてバック移動した後は、移動ガラス１８を順方向（後述する図８で示す方向Ａ）に移動させ（ステップＳ７０８）、ＣＩＳ３０８で画像を読み取る（ステップＳ７０９）。そして、黒ベタ部材６０３が検知できるか否かを判定し（ステップＳ７１０）、黒帯検知するまで上記ステップＳ７０７からステップＳ７１０の処理を繰り返す。
【００７６】
その後、ステップＳ７１０において、黒ベタ部材６０３が検知できた時点で移動ガラス１８の駆動を停止し（ステップＳ７１１）、その位置を移動ガラスの基準位置（ホームポジション＝ＨＰ）と設定する（ステップＳ７１２）。
【００７７】
前述したように、スキャナユニット２０９を移動して画像読み取りする場合には、原稿位置と画像読み取り位置とを高精度で合わせるために、スキャナユニット２０９のＨＰ検知も高精度で行う必要がある。
【００７８】
しかし、本発明のように裏面読み取り位置が固定の場合には、原稿位置と画像読み取り位置は一意に定まるため、移動ガラス１８のＨＰ出しは表面読取部ほどの精度を必要としない。
【００７９】
ＨＰが決まった後は、ステップＳ７１３において、移動ガラス１８を白板６０１に対向する所定の白板読み位置まで移動させ、シェーディング調整を行う（ステップＳ７１４）。その後、ランプ３０５を消灯し（ステップＳ７１５）、移動ガラス１８を所定の画像読み位置まで移動させて（ステップＳ７１６）、原稿裏面読取部１７の初期化処理を終了する。
【００８０】
図８は、図６における白板と黒ベタ部材の関係の第１の例を示す図である。
【００８１】
図８において、帯状の黒ベタ部材６０３は白板６０１の外側端部に設けてある。
【００８２】
図９は、図６における白板と黒ベタ部材の関係の第２の例を示す図である。
【００８３】
図９において、帯状の黒ベタ部材６０３は白板６０１の内側端部に設けてある。ただしこの場合には、初期化処理開始時に画像読み取り位置が白板６０１側になっていないようにする必要がある。白板６０１側にあった場合には、移動ガラス１８を順方向に移動させても黒ベタ部材６０３は検知されないためである。
【００８４】
図１０は、図６における白板と黒ベタ部材の関係の第３の例を示す図である。
【００８５】
図１０において、黒ベタ部材６０３は、白板６０１の外側端部２箇所にマークとして設けてある。この場合、マークはゴミと誤判断しないようなマークとする必要がある。読み込んだ画像データ全体を見てＨＰ判断するのではなく、マークがある領域だけをチェックすることにより、処理の軽減を図ることができる。
【００８６】
図１１は、図６における白板と黒ベタ部材の関係の第４の例を示す図である。
【００８７】
前記第１乃至第３の例においては、黒ベタ部材６０３は白板６０１上に設けられ、加えて原稿領域内に設けられていた。原稿領域とは、ＣＩＳ３０８の主走査範囲内において原稿が通過する可能性のある領域（最大原稿幅）のことを指している。これは、黒ベタ部材６０３がある部分は白板として使用できないことを意味する。一方で、最大原稿幅とＣＩＳ３０８の主走査範囲とを比較した場合には、最大原稿幅より外側の原稿領域外も走査可能である場合が多い。
【００８８】
図１１においては、黒ベタ部材６０３は、白板６０１の内側端部２箇所の原稿領域外にマークとして設けてある。ＨＰ検知時にはマークとして、それ以外では白板として使用可能な形態としたものである。
【００８９】
図１２は、図６における白板と黒ベタ部材の関係の第５の例を示す図である。
【００９０】
前記第１乃至第４の例においては、黒ベタ部６０４は白板６０１上に設けられていた。しかし、前記第４の例と同様に、原稿領域外にマークすることを考えると必ずしも白板６０１上である必要はない。
【００９１】
図１２においては、移動ガラス１８上の原稿領域外にマーク状の黒ベタ部材６０３を付けることにより、ＨＰ検知時にはマークとして、通常時にはガラスとして使用可能な形態としたものである。
【図面の簡単な説明】
【００９２】
【図１】本発明の実施の形態に係る画像読取装置の構成を概略的に示す図である。
【図２】図１の画像読取装置の機能ブロックを概略的に示す図である。
【図３】図１の画像読取装置による原稿固定読み時におけるスキャナユニットの状態を模式的に示す図である。
【図４ａ】図１の画像読取装置による原稿流し読み時におけるスキャナユニットの状態を模式的に示す図である。
【図４ｂ】図１の画像読取装置による原稿流し読み時におけるスキャナユニットの状態を模式的に示す図である。
【図４ｃ】図１の画像読取装置による原稿流し読み時におけるスキャナユニットの状態を模式的に示す図である。
【図５ａ】図１の画像読取装置による原稿反転時におけるスキャナユニットの状態を模式的に示す図である。
【図５ｂ】図１の画像読取装置による原稿反転時におけるスキャナユニットの状態を模式的に示す図である。
【図６】図１における原稿裏面読取部近傍の拡大図である。
【図７】図６における原稿裏面読取部の初期化処理の手順を示すフローチャートである。
【図８】図６における白板と黒ベタ部材の関係の第１の例を示す図である。
【図９】図６における白板と黒ベタ部材の関係の第２の例を示す図である。
【図１０】図６における白板と黒ベタ部材の関係の第３の例を示す図である。
【図１１】図６における白板と黒ベタ部材の関係の第４の例を示す図である。
【図１２】図６における白板と黒ベタ部材の関係の第５の例を示す図である。
【符号の説明】
【００９３】
１７  原稿裏面読取部（第２の画像読取手段）
１８  移動ガラス（仕切り部材）
１００  自動原稿送り装置
２００画像読取装置本体
２０８  ＣＣＤ（第１の画像読取手段構成要素）
２０９  スキャナユニット（第１の画像読取手段構成要素）
６０１  白板
６０３  黒ベタ部材（基準部材）
３００  ＣＰＵ（制御手段）
３２１  ＣＰＵ（制御手段）
【図１】
2008072356.tif 000003
【図２】
2008072356.tif 000004
【図３】
2008072356.tif 000005
【図４ａ】
2008072356.tif 000006
【図４ｂ】
2008072356.tif 000007
【図４ｃ】
2008072356.tif 000008
【図５ａ】
2008072356.tif 000009
【図５ｂ】
2008072356.tif 000010
【図６】
2008072356.tif 000011
【図７】
2008072356.tif 000012
【図８】
2008072356.tif 000013
【図９】
2008072356.tif 000014
【図１０】
2008072356.tif 000015
【図１１】
2008072356.tif 000016
【図１２】
2008072356.tif 000017